(57)【要約】モバイルメディアデバイスのユーザーインターフェースを説明する。１つ又は複数の実施形態では、オーディオコンテンツの複数の出力は、モバイルメディアデバイスによって監視されている。オーディオコンテンツの各々は、モバイルメディアデバイスによる複数の放送チャンネルの中の一つをそれぞれ経由して受信された。ユーザーインターフェースは、モバイルメディアデバイスの表示デバイスに表示される。ユーザーインターフェースは、複数のオーディオコンテンツのそれぞれ及びオーディオコンテンツを受信したそれぞれの放送チャンネルを説明する。
2012531628.tif 000002
【特許請求の範囲】
【請求項１】
モバイルメディアデバイスによる複数のオーディオコンテンツの出力を監視するステップ（４０２）であって、前記オーディオコンテンツの各々は、前記モバイルメディアデバイスによって複数の放送チャンネルのそれぞれのうちの１つを経由して受信されるステップと、
前記モバイルメディアデバイスの表示デバイス上でユーザーインターフェースを表示するステップ（４０８）であって、前記ユーザーインターフェースは、前記複数のオーディオコンテンツのそれぞれ及び前記オーディオコンテンツが受信された前記それぞれの放送チャンネルを説明するステップと
を含むことを特徴とする方法。
【請求項２】
特定の前記オーディオコンテンツを説明する前記ユーザーインターフェースの一部分は、ネットワーク接続を経由して前記特定のオーディオコンテンツを購入する動作を開始するために選択されることを特徴とする請求項１に記載の方法。
【請求項３】
一度購入された前記特定のオーディオコンテンツは、別のメディアデバイスによってダウンロード可能であることを特徴とする請求項２に記載の方法。
【請求項４】
前記動作は、認証サービスを使用して前記モバイルメディアデバイスのユーザーを認証することを含むことを特徴とする請求項２に記載の方法。
【請求項５】
前記認証サービスによる前記ユーザーの前記認証は、複数のウェブサイトのへのアクセスを提供し、それらのうちの少なくとも一つは、購入のための前記特定のオーディオコンテンツを提供するように構成されることを特徴とする請求項４に記載の方法。
【請求項６】
前記認証サービスによる前記ユーザーの前記認証は、前記モバイルメディアデバイス上に格納されるトークンを使用して、自動的に及びユーザーの介入なしに実行されることを特徴とする請求項４に記載の方法。
【請求項７】
第１の前記放送チャンネルは、ＦＭ（frequency modulation）を使用してブロードキャストされ、第２の前記放送チャンネルは、衛星を経由してブロードキャストされることを特徴とする請求項１に記載の方法。
【請求項８】
前記ユーザーインターフェースは、それぞれの前記オーディオコンテンツとともにブロードキャストされるメタデータを使用して、前記複数のオーディオコンテンツの各々について説明することを特徴とする請求項１に記載の方法。
【請求項９】
前記ユーザーインターフェースは、それぞれ、前記複数のオーディオコンテンツの各々が出力されたときの逆の順序で前記複数のオーディオコンテンツを説明する請求項１に記載の方法。
【請求項１０】
表示デバイス（１１６）と、
１つ又は複数の放送チャンネルを経由してワイヤレスで受信された複数のオーディオコンテンツを出力し、及び広告である１つ又は複数の前記オーディオコンテンツを含むユーザーインターフェースを前記表示デバイス上に表示する１つ又は複数のモジュール（１１２）と
を備えることを特徴とするモバイルメディアデバイス（１０４）。 
【請求項１１】
前記１つ又は複数のモジュールは、広告である前記１つ又は複数のオーディオコンテンツを一方向の放送を経由してワイヤレスに受信するように構成され、
前記広告の説明は、双方向ネットワーク接続を経由して前記１つ又は複数のモジュールによってアクセス可能な広告にナビゲートするために、前記ユーザーインターフェースにおいて選択可能であること
を特徴とする請求項１０に記載のモバイルメディアデバイス。
【請求項１２】
前記双方向ネットワーク接続は、インターネット接続を提供し、前記一方向の放送は、ＦＭ（frequency modulation）に準拠した無線放送を経由して受信されることを特徴とする請求項１１に記載のモバイルメディアデバイス。
【請求項１３】
前記ユーザーインターフェースでの前記広告の説明は、前記広告とともにブロードキャストされたメタデータを含むことを特徴とする請求項１１に記載のモバイルメディアデバイス。
【請求項１４】
前記広告の説明は、インターネット接続を経由して前記広告にナビゲートして、前記広告に関連する商品やサービスを購入するために、前記ユーザーインターフェースにおいて選択可能であることを特徴とする請求項１０に記載のモバイルメディアデバイス。
【発明の詳細な説明】
【技術分野】
【０００１】
[背景技術]
モバイルメディアデバイスを異なる様々な方法で構成して、異なる様々なソースからコンテンツを出力することができる。例えば、放送ネットワーク（例えば、ＦＭ無線などの一方向通信チャンネル）及び双方向ネットワーク（インターネットへのアクセスを提供するなど）を経由するように、モバイルメディアデバイスを、複数のネットワークを経由してワイヤレスでコンテンツを受信できるハンドヘルド音楽プレーヤーとして構成することができる。しかし、最近、これらの様々なソースによってモバイルメディアデバイスで何が演奏されたかをユーザーが判断するのは難しいかもしれない。
【０００２】
例えば、ユーザーは、異なるＦＭ無線局などの、異なる様々な放送ネットワークのチャンネルを聴くことができる。オーディオコンテンツ（例えば、歌）を再生している間、モバイルメディアデバイスの表示デバイスは、例えば、曲のタイトル及びアーティスト名などの現在何が演奏されているかを説明する情報を出力できる。曲を再生し終えたら、ユーザーは、従来のモバイルメディアデバイスを使用して情報にアクセスすることはできない。したがって、ユーザーは、もっぱらユーザー自身の記憶に頼って、関心のある曲を覚えておく。
【発明の概要】
【課題を解決するための手段】
【０００３】
モバイルメディアデバイスのユーザーインターフェースを説明する。１つ又は複数の実施形態では、オーディオコンテンツの複数の出力は、モバイルメディアデバイスによって監視されている。オーディオコンテンツの各々は、モバイルメディアデバイスによる複数の放送チャンネルの中の一つをそれぞれ経由して受信された。ユーザーインターフェースは、モバイルメディアデバイスの表示デバイスに表示される。ユーザーインターフェースは、複数のオーディオコンテンツのそれぞれ及びオーディオコンテンツを受信したそれぞれの放送チャンネルを説明する。
【０００４】
１つ又は複数の実施形態では、１つ又は複数のコンピュータ可読記憶媒体は、モバイルメディアデバイスによって、放送及び出力を経由して受信した複数のコンテンツを説明するユーザーインターフェースで出力するためにモバイルメディアデバイスで実行可能な命令を含んでいる。ユーザーインターフェースは、ダウンロード用の複数のコンテンツを購入するためのオプションを複数有している。
【０００５】
１つ又は複数の実施形態では、モバイルメディアデバイスは、表示デバイス及び１つ又は複数のモジュールを含む。１つ又は複数のモジュールは、１つ又は複数の放送チャンネルを経由してワイヤレスで受信された複数のオーディオコンテンツを出力するように構成されている。ユーザーインターフェースは、広告となる１つ又は複数オーディオコンテンツを含む表示デバイスに表示される。
【０００６】
本要約は、さらに以下の発明の詳細な説明で説明される簡単な形で概念の選択を導入するために提供される。この要約は、特許請求の範囲の主題の主要な機能や本質的な特徴を識別するために意図されていない。また、特許請求の範囲の主題の範囲を決定する補助として使用されることも意図していない。
【図面の簡単な説明】
【０００７】
発明の詳細な説明は、添付図面を参照して説明される。図中では、参照番号の一番左の桁は、参照番号が最初に現れる図を示している。説明文及び図中の異なるインスタンスにおいて同じ参照番号の使用は、類似又は同一の項目を示すことができる。
【０００８】
【図１】本明細書に記載されたユーザーインターフェースの生成技術を採用するように動作できる実施形態の環境１００を示す図である。
【図２】オーディオコンテンツを購入するためのユーザーインターフェースの構成として、図１のモバイルメディアデバイスを表す実施形態のシステムを示す図である。
【図３】オーディオコンテンツを購入するユーザーを認証するように構成される実施形態のシステムを示す図である。
【図４】モバイルメディアデバイスによるオーディオコンテンツの複数の出力が監視され、ユーザー・インターフェースがオーディオコンテンツを説明することが表示される実施形態の手順を表現するフロー図である。
【図５】モバイルメディアデバイスが出力された他のオーディオコンテンツの説明に含まれる広告の説明の実施形態の手順を表現するフロー図である。
【図６】図１のモバイルメディアデバイスが低電力モードとなっている間、キャッシュされるメタデータでの実施形態の手順を示すフロー図である。
【発明を実施するための形態】
【０００９】
（概要）
モバイルメディアデバイス（例えば、ポータブル音楽プレイヤー）は、放送（例えば、ＡＭ、ＦＭ、又は衛星無線）を経由したり、双方向のネットワーク（例えば、インターネット経由でアクセス可能なウェブサイトによって提供されたストリーム）を経由したり、などのような、異なる様々なソースから取得されたオーディオコンテンツを出力できる。このコンテンツを説明するために使用された伝統的な技術は、しかしながら、現在のモバイルメディアデバイスによって出力されたものに限定されていた。例えば、伝統的な無線（例えば、ＦＭ、及び／又は衛星に準拠）は、現在出力されている曲のタイトル及びアーティスト名を表示できる。歌の出力が完了した（例えば、曲が再生された）後は、しかしながら、従来の表示技術は、ユーザーが最近再生した曲（又は他のオーディオコンテンツ）を決定するために許可されていない。
【００１０】
モバイルメディアデバイスのユーザーインターフェースを説明する。実施形態では、ユーザーインターフェースは、モバイルメディアデバイスによって出力されたオーディオコンテンツを説明するために構成されている。例えば、ユーザーは、放送チャンネル（例えば、ＦＭ無線の周波数）間をナビゲートし、及び当該チャンネルからのオーディオコンテンツ（例えば、曲）を出力するモバイルメディアデバイスと交信することができる。モバイルメディアデバイスが順次異なる様々な放送チャンネルに合わせて調整される場合でも、この実施形態のモバイルメディアデバイスは、オーディオコンテンツとともにストリームされ、及びオーディオコンテンツを説明するメタデータを格納するように構成される。メタデータを、その後ユーザーインターフェースに出力して、モバイルメディアデバイスによって出力されたオーディオコンテンツを説明することができる。
【００１１】
ユーザーインターフェース（及びそこに含まれるメタデータ）を、様々な方法で活用することができる。例えば、ユーザーインターフェースを、モバイルメディアデバイスによって最近演奏されたオーディオコンテンツを購入するためのウェブサイトへのリンクを提供するように構成することができる。別の実施例では、ユーザーインターフェースを、例えば歌のような、他のオーディオコンテンツで放送された広告として構成されたオーディオコンテンツの説明を含むように構成することができる。広告の説明を、対応するウェブサイトに移動するように構成することもできる。したがって、これらの実施例のモバイルメディアデバイスで受信された放送コンテンツを説明する情報を、例えばインターネットを経由して、双方向のネットワークから追加情報を取得するために活用することができる。他の様々な実施例は、次のセクションに関連して見つけられることができるさらなる議論も検討される。
【００１２】
以下の議論では、モバイルメディアデバイスは、異なる様々なソースからワイヤレスでオーディオコンテンツを受信できることが説明される。しかし、以下の議論がモバイルメディアデバイス、オーディオコンテンツ、又は無線通信に限定されないことは、容易に明らかである。したがって、異なる様々なデバイスは、デスクトップＰＣ、ネットブック、携帯電話、パーソナルデジタルアシスタントなどのような他のコンピュータとして、趣旨及び範囲から逸脱することなく、本明細書に記載の技術を用いることができる。
【００１３】
（実施例の環境） 
図１は、本明細書に記載のユーザーインターフェースの生成技術を用いるために動作可能である実施形態の環境１００を示す図である。図示された環境１００は、オーディオコンテンツ１０８の放送を受信する、無線接続１０６を経由してモバイルメディアデバイス１０４に通信可能に結合された放送コンテンツプロバイダ１０２を含む。モバイルメディアデバイス１０４を、様々な方法で構成することができる。例えば、メディアデバイス１０４の通信モジュール１１０は、ＦＭ（frequency modulated）信号、衛星からの信号（例えば、衛星無線）などを受信する無線の機能を含むことができる。したがって、この実施例では、無線接続１０６は、例えば、モバイルメディアデバイス１０４などの複数のモバイルメディアデバイスに放送することができる放送コンテンツプロバイダ１０２からの「一方向」の接続である。
【００１４】
同様に、放送コンテンツプロバイダ１０２を、様々な方法で構成することができる。例えば、放送コンテンツプロバイダ１０２を、上記のようにＦＭ信号を使用してオーディオコンテンツ１０８を放送するＦＭ無線局として構成することができる。放送コンテンツプロバイダ１０２を、モバイルメディアデバイス１０４によって直接受信するために衛星を使用して無線接俗１０６を経由してオーディオコンテンツ１０８を放送する衛星無線のプロバイダとして構成することができる。他の様々な実施例は、ＨＤ無線技術や、ＡＭ無線技術などに準拠したオーディオコンテンツ１０８の放送のための構成としても、検討される。
【００１５】
通信モジュール１１０は、更にユーザーインターフェースモジュール１１２を含むものとして示されている。ユーザーインターフェースモジュール１１２は、モバイルメディアデバイス１０４の機能の代表であり、モバイルメディアデバイス１０４の表示デバイス１１６上で表示するためのユーザーインターフェース１１４を生成し、維持する。ユーザーインターフェース１１４を、図１に示すように、最近再生したコンテンツのリストを含むように、様々な方法で構成することができる。
【００１６】
例えば、放送コンテンツプロバイダ１０２は、モバイルメディアデバイス１０４にも他のモバイルメディアデバイス１０４にもワイヤレス接続を経由してオーディオコンテンツ１０８を放送することができる。オーディオコンテンツ１０８は、オーディオコンテンツ１０８を説明し、及びオーディオコンテンツ１０８とともにストリーミングされるメタデータ１１８を含むように示されている。例えば、メタデータ１１８は、タイトル、アーティスト、アルバム名、ジャンル、ネットワークサイト（例えば、コンテンツのように購入する電子商取引のウェブサイト、ファンサイトなど）へのリンクを含み、放送時間などを含むことができる。
【００１７】
通信モジュール１１０のユーザーインターフェースモジュール１１２は、受信された放送を解析して、メタデータ１１８を削除し、それを格納することができるが、それは、例えば、モバイルメディアデバイス１０４の記憶装置１２２（例えば、永続的なメモリ）に格納されているメタデータ１２０として示される。ユーザーインターフェースモジュール１１２は、その後メタデータ１２０を活用して、ユーザーインターフェース１１４を生成することができる。
【００１８】
図１の環境１００に示されたように、例えば、ユーザーインターフェースは、放送のソース（例えば、ＫＮＮＤ１０７．７ＦＭ）、タイトル（例えば、Hero of War）、アーティスト（例えば、Rise Against）、及びアルバム（例えば、Appeal to Reason）を説明する。さらに、ユーザーインターフェースは、異なる様々なソースを経由して受信されたオーディオコンテンツを説明し、異なる様々なソースは、１０７．７ＦＭ及び衛星無線１４５として示される。この方法では、ユーザーインターフェース１１４は、ユーザーインターフェース１１４内の単一の画面で、コンテンツプロバイダ１０２を放送する放送コンテンツプロバイダから実行されるナビゲーションをまとめることができる。モバイルメディアデバイス１０４によって出力されるオーディオコンテンツの説明を、以下の図との関係で見つけられることができる実施例の様々な方法で活用することができる。
【００１９】
図２は、オーディオコンテンツを購入するためのユーザーインターフェース１１４を構成するものとして、図１のモバイルメディアデバイス１０２を表す実施形態のシステム２００を示す。システム２００は、モバイルメディアデバイス１０４の第１及び第２のインスタンス２０２、２０４を含む。第１のインスタンス２０２で、モバイルメディアデバイス１０４は、図１で説明したように放送コンテンツプロバイダ１０２からオーディオコンテンツ１０８を受信するものとして示されている。したがって、第１のインスタンス２０２において、オーディオコンテンツ１０８は、一方向ネットワークを経由して放送コンテンツプロバイダ１０２から受信される。
【００２０】
オーディオコンテンツ１０８は、オーディオコンテンツ１０８の説明を含むユーザーインターフェース１１４を生成するためにモバイルメディアデバイス１０４によって使用されるメタデータ１１８を含む。図示されたインスタンスでオーディオコンテンツ１０８は、オーディオコンテンツ１０８が出力された順序に従う順序で説明される。他の様々な実施例も、放送局などによって配置されたグループに表示されたように、検討される。実施形態では、ユーザーインターフェース１１４のオーディオコンテンツ１０８の説明の少なくとも一部は、オーディオコンテンツ１０８を購入する動作を開始するために選択可能である（例えば、カーソルコントロールデバイス２０６を経由して太字で示されたタイトルを選択する）。
【００２１】
第２のインスタンス２０４に表されたように、ユーザーインターフェース１１４は、オーディオコンテンツ１０８が購入されるように選択可能であるオプションを出力する。例えば、モバイルメディアデバイス１０４の通信モジュール１１０は、図２のネットワーク２０８として示されている双方向ネットワークを経由して通信する機能を含むことができる。ネットワーク２０８を、広域ネットワーク（ＷＡＮ）、ローカルエリアネットワーク（ＬＡＮ）、ワイヤレスネットワーク、公衆電話網、イントラネットなどを含むように、様々な方法で構成することができる。さらに、単一のネットワーク２０８が表されているが、ネットワーク２０８を、複数のネットワークを含むように構成することができる。ネットワーク２０８は、例えば、インターネットへのアクセスを提供する携帯電話ネットワークを含むことができる。他の様々な実施例も検討される。
【００２２】
オプションは、（例えば、カーソルコントロールデバイス２０６を使用してユーザーインターフェース１１４で「ｙｅｓ」を選択することによって）一度選択されると、ユーザーインターフェース１１４を、ユーザーインターフェース１１４に記載されたオーディオコンテンツ１０８を購入するためのネットワーク２０８を経由して、コンテンツプロバイダ２１０へのナビゲーションを提供するように構成することができる。例えば、通信モジュール１１０は、コンテンツを購入するコンテンツプロバイダ２１０によって維持されるウェブサイトに移動するブラウザの機能を含むことができる。
【００２３】
したがって、図示されたシステム２００中のモバイルメディアデバイス１０４は、一方向ネットワーク（例えば、ＦＭ信号、衛星信号、ＨＤ無線信号など）経由で受信されたオーディオコンテンツ１０８を出力する。オーディオコンテンツ１０８の説明では、例えば、モバイルメディアデバイス１０４が電話機能を含む場合に双方向ネットワークへのアクセスを経由するように、双方向のネットワークを経由して、オーディオコンテンツ１０８を購入するオプションを提供するために活用される。オーディオコンテンツ１０８を、様々な方法で購入することができ、さらなる議論を以下の図との関係で見つけることができる。
【００２４】
図３は、オーディオコンテンツ１０８を購入するユーザーを認証するように構成されている実施形態のシステム３００を示している。前記同様に、オーディオコンテンツ１０８は、もともと放送コンテンツプロバイダ１０２から受信される。コンテンツプロバイダ２１０からオーディオコンテンツを購入するために、モバイルメディアデバイス１０４のユーザーは、認証サービス３０２によって最初に認証される。
【００２５】
図示したように、ユーザーインターフェース１１４を、ユーザー名とパスワードが含まれている実施例のユーザーから認証情報を受け入れるように構成することができる。認証情報を、アカウント３０４の認証情報との比較のために認証サービス３０２にネットワーク２０８を経由して伝えることができる。認証された場合、トークンは、認証情報を再入力しなくても複数のウェブサイトにアクセスすることが可能であるモバイルメディアデバイス１０４に戻される可能性がある。したがって、トークンは、オーディオコンテンツ１０８を購入するために、コンテンツプロバイダ２１０（より具体的には、コンテンツプロバイダ２１０によって維持されたウェブサイト）にアクセスするモバイルメディアデバイス１０４によって使用される可能性がある。実施形態では、購入は、例えば、アカウント情報を取得することにより、及びアカウント３０４にチャージすることなどにより、認証サービス３０２と組み合わせて行われることもできる。
【００２６】
一般に、本明細書に記載された任意の機能を、ソフトウェア、ファームウェア、ハードウェア（例えば、固定論理回路）、マニュアル処理、又はこれらの実施形態の組み合わせを使用して、実行することができる。本明細書中で使用された用語「モジュール」、「機能」、及び「論理」は、一般に、ソフトウェア、ファームウェア、ハードウェア、又はそれらの組み合わせを表す。ソフトウェアの実施形態の場合には、モジュール、機能、又は論理は、プロセッサ（例えば、ＣＰＵ）上で実行されたときに指定したタスクを実行するプログラムコードを表す。プログラムコードを、１つ又は複数のコンピュータ可読記録デバイスに格納することができる。以下で説明されるユーザーインターフェース技術の特徴は、技術が様々なプロセッサを有する様々な商用コンピューティングプラットフォーム上で実行される可能性があることを意味する、プラットフォームに依存している。
【００２７】
（実施例の手順）
以下の議論は、前述のシステム及びデバイスを利用して実行されることができるユーザーインターフェース技術を説明する。手順のそれぞれの側面を、ハードウェア、ファームウェア、ソフトウェア、又はそれらの組み合わせで実行することができる。手順は、１つ又は複数のデバイスによって実行された動作を指定し、必ずしもそれぞれのブロックでの動作を実行するために表された命令に限定されない一連のブロックとして表示される。以下の議論の部分では、参照は、図１の環境１００、及び図２、図３のシステム２００、３００で行われる。
【００２８】
図４は、モバイルメディアデバイスによる複数のオーディオコンテンツの出力が監視され、及びオーディオコンテンツを説明するユーザーインターフェースが表示される実施形態における手順４００を示している。モバイルメディアデバイスによる複数のオーディオコンテンツの出力が監視されるが、オーディオコンテンツの各々は、複数の放送チャンネルのそれぞれのうちの１つを経由して受信される（ブロック４０２）。例えば、放送チャンネルは、ＦＭ無線ネットワークの周波数や、衛星から受信した放送のチャンネルなどに対応することができる。したがって、モバイルメディアデバイス１０４によって出力されるオーディオコンテンツを、異なる様々な技術を使用して異なる様々なソースから得ることができる。
【００２９】
複数のオーディオコンテンツを説明するデータは、収集される（ブロック４０４）。前述の実施例では、ユーザーは、モバイルメディアプレーヤー１０４と交信して、複数の放送チャンネル、例えば、無線周波数や、衛星放送などの間を移動することができる。したがって、オーディオコンテンツ１０８と共に放送されるメタデータ１１８を、このナビゲーション中に収集することができる。データ（例えば、メタデータ１１８）は、例えばメモリ又は他のコンピュータ可読媒体などに、モバイルメディアデバイスによって格納される（ブロック４０６）。
【００３０】
ユーザーインターフェースは、モバイルメディアデバイスの表示デバイスに表示され、複数のオーディオコンテンツの各々及びオーディオコンテンツが受信されたそれぞれの放送チャンネルを説明する（ブロック４０８）。図１に示すように、例えば、ユーザーインターフェース１１４は、オーディオコンテンツを受信するために使用された放送チャンネル（例えば、ＫＮＮＤ１０７．７ＦＭ）を説明し、例えば、タイトル「Hero of War」、アーティスト「Rise Against」、及びアルバム「Appeal to Reason」などのオーディオコンテンツも説明する。
【００３１】
オーディオコンテンツの特定の１つを説明するユーザーインターフェースの一部分の選択が受信される（ブロック４１０）。ユーザーは、例えば、モバイルメディアデバイス１０４のカーソルコントロールデバイス２０６と交信して、タイトルやオーディオコンテンツ１０８を説明する情報の他の部分、例えば、アルバムアートを含むアイコンを選択することができる。選択に応答して、ネットワーク接続を経由して特定のオーディオコンテンツを購入する動作が開始される（ブロック４１２）。前述の図２及び図３との関係で説明されたように、例えば、ユーザーは、本来一方向ネットワークを経由して受信されたコンテンツを購入するために、双方向ネットワーク（例えば、インターネット）を経由してウェブサイトに移動するモバイルメディアデバイス１０４を使用することができる。購入したコンテンツを、モバイルメディアデバイス、及び／又は自宅のコンピュータなど、別のデバイスにダウンロードすることができる。
【００３２】
図５は、広告の説明が、モバイルメディアデバイスによって出力された他のオーディオコンテンツの説明とともに含まれる実施形態の手順５００を示している。１つ又は複数の放送チャンネルを経由してワイヤレスで受信された複数のオーディオコンテンツが出力される（ブロック５０２）。複数のコンテンツとともにブロードキャストされるメタデータが格納される（ブロック５０４）。これらの技術を、以前に図４との関係で説明したように実行することができる。
【００３３】
ユーザーインターフェースは、モバイルメディアデバイスの表示デバイスで表示され、１つ又は複数の、広告であるオーディオコンテンツを含んでいる（ブロック５０６）。例えば、モバイルメディアデバイス１０４にブロードキャストされるオーディオコンテンツ１０８は、商品やサービスの広告を含むこともできる。例えば、広告された商品やサービス（ブランド名）を識別する広告の説明を、ユーザーインターフェース１１４に含めることもできる。
【００３４】
選択は、表された広告に移動するために、ユーザーインターフェースを経由して受信され（ブロック５０８）、ナビゲーションは、双方向ネットワークを経由して広告に実行される（ブロック５１０）。広告であるオーディオコンテンツ１０８とともにストリーミングされたメタデータ１１８は、例えば、広告に関連する追加情報を含むサイト（例えば、ウェブサイト）へのネットワークアドレス（ＵＲＬ）を含むことができる。広告それ自体、広告で表された商品やサービスを購入する方法（例えば、電子商取引のウェブサイトを経由）、追加の製品資料などの異なる様々な情報は、サイトに含まれる可能性がある。したがって、通信モジュール１１０に含まれるモバイルメディアデバイス１０４の双方向機能を、放送を経由して受信された広告をさらに活用するこの実施例では、インターネットへアクセスするために使用することができる。他の様々な実施例も検討される。
【００３５】
図６は、モバイルメディアデバイス１０４が低電力モードになっているときに、メタデータがキャッシュに格納される実施形態の手順６００を示している。低電力モードへのエントリは、モバイルメディアデバイスによって開始される（ブロック６０２）。この実施例では、モバイルメディアデバイス１０４の通信モジュール１１０は、モバイルメディアデバイス１０４を、デバイスの１つ又は複数のコンポーネントによる消費電力が軽減される低電力モードに入らせるように構成される。例えば、モバイルメディアデバイス１０４は、ＦＭ放送及び定義された量の時間が経過した後に 「タイムアウト」を受信できる。応答では、モバイルメディアデバイス１０４の表示デバイス１１６は、 電力を節約するために「オフにする」ことができる。
【００３６】
モバイルメディアデバイスが低電力モードになっているにもかかわらず、しかし、オーディオコンテンツ１０８とともにブロードキャストされるメタデータ１１８を、メタデータ１２０として記憶デバイス１２２のキャッシュに格納することができる（ブロック６０６）。低電力モードを終了する表示が受信されると（ブロック６０８）、ユーザーインターフェース１１４は、キャッシュに格納されたメタデータの少なくとも一部を含んで、表示デバイス１１６に表示される（ブロック６１０）。例えば、デバイスを「立ち上げる」ための入力を、例えば電源ボタン又はデバイスの他のボタンを押して、モバイルメディアデバイス１０４のボタンを経由して受信することができる。したがって、この方法でメタデータ１１８を、モバイルメディアデバイス１０４のリソースを適切に節約するときまで、キャッシュに格納して使用することができる。
【００３７】
（結論）
本発明は、特定の構造的特徴、及び／又は、方法論的な行為を言語で説明されているが、添付の特許請求の範囲に定義された本発明は、必ずしも記載された特定の機能や行為に限定されないことが理解されるべきである。むしろ、特定の機能及び行為は、特許請求の範囲に記載された発明を実施する実施形態として開示される。
【図１】
2012531628.tif 000003
【図２】
2012531628.tif 000004
【図３】
2012531628.tif 000005
【図４】
2012531628.tif 000006
【図５】
2012531628.tif 000007
【図６】
2012531628.tif 000008
【国際調査報告】
2012531628.tif 000009
2012531628.tif 000010